(57)【要約】【課題】炊飯中の異常状態を検知する炊飯器において、同じ異常状態が発生する場合は、製品に異常があると判断して製品異常表示に変更し、正確な異常状態の情報を提供する。【解決手段】スイッチング素子温度検知手段２７が一定以上の温度を検知した場合スイッチング素子３３の冷却状態が異常であると判断する異常状態検知手段４４が、異常状態を検知した炊飯回数を記憶する異常炊飯回数記憶手段４５を備え、異常状態検知手段４４が異常状態を検知した場合に、炊飯終了後、表示手段２３に異常状態による炊飯である異常状態表示を行い、異常炊飯回数記憶手段４５に記憶された回数が所定数を超えた場合には炊飯器異常である表示にする。【選択図】図２
2010088648.tif 000002
【特許請求の範囲】
【請求項１】
炊飯器本体の内部に収納される鍋と、前記鍋を加熱する加熱コイルと、前記加熱コイルに高周波電流を供給する共振コンデンサとスイッチング素子からなるインバータ回路と、前記スイッチング素子を駆動する駆動回路と、前記スイッチング素子もしくはその近傍の温度を検知するスイッチング素子温度検知手段と、少なくとも前記スイッチング素子を冷却する冷却ファンと、前記冷却ファンにより、炊飯器外部から外気を吸気する吸気口と、炊飯器内部の内気を炊飯器外部に排気する排気口と、前記前記駆動回路を制御して炊飯制御を行う制御手段と、炊飯器の状態を表示する表示手段と、炊飯動作中に前記スイッチング素子温度検知手段が一定以上の温度を検知した場合、前記スイッチング素子の冷却状態が異常であると判断する異常状態検知手段と、前記異常状態検知手段が異常状態を検知した炊飯動作回数を記憶する異常炊飯回数記憶手段とを備え、前記制御手段は、前記異常状態検知手段が異常状態を検知した場合に、炊飯動作終了後、前記表示手段に異常状態による炊飯動作である異常状態表示を行い、前記異常炊飯回数記憶手段に記憶された回数が所定回数を超えた場合には炊飯器異常である異常表示に表示を変更するよう構成した炊飯器。
【請求項２】
制御手段は、異常状態検知手段が異常状態を検知した場合に、炊飯動作終了後、表示手段に異常状態による炊飯動作である異常状態表示を行い、異常炊飯回数記憶手段に記憶された回数が所定回数を超えた場合には炊飯器異常である異常表示に表示を変更し、炊飯動作を停止するようにした請求項１記載の炊飯器。
【請求項３】
炊飯動作中に前記異常状態検知手段が異常状態を検知しない炊飯回数を記憶する正常炊飯回数記憶手段を備え、制御手段は、前記正常炊飯回数記憶手段に記憶された回数が所定回数を超えた場合には、前記異常炊飯回数記憶手段に記憶された回数をリセットするようにした請求項１または２に記載の炊飯器。
【発明の詳細な説明】
【技術分野】
【０００１】
本発明は、炊飯動作中に発生する異常状態を検知可能な電磁誘導加熱炊飯器に関するものである。
【背景技術】
【０００２】
近年、高機能な家庭電化機器としてマイクロコンピュータ（以下、マイコンと略称する）を内蔵した各種機器が提供されている。高機能な家庭電化機器においては、使用者の選択した指令に応答して、マイコンに格納された対応する動作プログラムが起動し、使用者が望む動作が実行される。当該家庭電化機器においては、動作プログラムが起動することにより、各種動作が指定された順に稼働し、使用者の選択した所望の動作が実行される。
【０００３】
しかし、家庭電化機器の動作中において、例えば使用者の誤操作、部品の故障、断線、停電等の異常状態が生じる場合がある。このように異常状態が生じた場合、使用者が指令した動作プログラムに従って忠実に実行できないため、動作プログラムに代わって安全性を確保しつつ動作を終了させるために特別なプログラムが実行されている。このような異常状態が生じた場合には、その異常状態を出来るだけ早く確実に検知して、使用者に通知する必要がある。そのため、家庭電化機器においては、各種センサーを設けて異常状態を検知し、その異常状態を使用者に通知する手段を設けている（例えば、特許文献１参照）。
【特許文献１】特開平９−３０８５７０号公報
【発明の開示】
【発明が解決しようとする課題】
【０００４】
しかしながら、このような従来の電磁誘導加熱炊飯器では、炊飯動作中に、炊飯器本体内に設置された温度検出手段により、検出温度が一定温度を越えた場合に、冷却ファンの異常と判定し、加熱コイルへの通電を禁止している。また、スイッチング素子自体が、長期の使用により劣化して、自己発熱量が増加し、検出温度が一定温度を越える場合もある。そして、炊飯途中で加熱コイルへの通電を禁止しているため、正常な加熱動作ができずに炊飯動作を終了しているため、満足できる炊きあがりにならなかった。
【０００５】
一方、炊飯器の使用場所、例えば絨毯の上のように、毛足により吸気口や排気口が密閉される場合、冷却ファンは正常でも、全く上記と同じ動作を行うことがある。そして、このような吸気口や排気口が密閉されたことが原因、すなわち、使用者の使用誤りであるのか、部品の不良や劣化が原因であるのか、炊飯器の制御手段では判定できず、同じ異常表示をするしか方法がないという問題を有していた。
【０００６】
本発明は上記従来の課題を解決するもので、炊飯動作中に発生する異常状態の回数を記憶して、同じ異常状態が数回発生する場合は、製品に異常があると判断して製品異常表示に変更し、使用者に正確な異常状態の情報を提供できるようにすることを目的としている。
【課題を解決するための手段】
【０００７】
上記従来の課題を解決するために、本発明は、炊飯器本体の内部に収納される鍋と、前記鍋を加熱する加熱コイルと、前記加熱コイルに高周波電流を供給する共振コンデンサとスイッチング素子からなるインバータ回路と、前記スイッチング素子を駆動する駆動回路と、前記スイッチング素子もしくはその近傍の温度を検知するスイッチング素子温度検知手段と、少なくとも前記スイッチング素子を冷却する冷却ファンと、前記冷却ファンによ
り、炊飯器外部から外気を吸気する吸気口と、炊飯器内部の内気を炊飯器外部に排気する排気口と、前記前記駆動回路を制御して炊飯制御を行う制御手段と、炊飯器の状態を表示する表示手段と、炊飯動作中に前記スイッチング素子温度検知手段が一定以上の温度を検知した場合、前記スイッチング素子の冷却状態が異常であると判断する異常状態検知手段と、前記異常状態検知手段が異常状態を検知した炊飯動作回数を記憶する異常炊飯回数記憶手段とを備え、前記制御手段は、前記異常状態検知手段が異常状態を検知した場合に、炊飯動作終了後、前記表示手段に異常状態による炊飯動作である異常状態表示を行い、前記異常炊飯回数記憶手段に記憶された回数が所定回数を超えた場合には炊飯器異常である異常表示に表示を変更するよう構成したものである。
【０００８】
これにより、炊飯動作中に、正常な炊飯動作が行えなかった場合、その回数を記憶して、同じ異常状態が数回発生する場合は、製品に異常があると判断して製品異常表示に変更し、使用者に正確な異常状態の情報を提供することができる。
【発明の効果】
【０００９】
本発明の炊飯器は、炊飯動作中に正常な炊飯動作が行えなかった場合、そのときの使用状態が異常状態なのか、製品に異常があるのかを判断して異常状態の表示を変更し、使用者に正確な異常状態の情報を提供することができる。
【発明を実施するための最良の形態】
【００１０】
第１の発明は、炊飯器本体の内部に収納される鍋と、前記鍋を加熱する加熱コイルと、前記加熱コイルに高周波電流を供給する共振コンデンサとスイッチング素子からなるインバータ回路と、前記スイッチング素子を駆動する駆動回路と、前記スイッチング素子もしくはその近傍の温度を検知するスイッチング素子温度検知手段と、少なくとも前記スイッチング素子を冷却する冷却ファンと、前記冷却ファンにより、炊飯器外部から外気を吸気する吸気口と、炊飯器内部の内気を炊飯器外部に排気する排気口と、前記駆動回路を制御して炊飯制御を行う制御手段と、炊飯器の状態を表示する表示手段と、炊飯動作中に前記スイッチング素子温度検知手段が一定以上の温度を検知した場合、前記スイッチング素子の冷却状態が異常であると判断する異常状態検知手段と、前記異常状態検知手段が異常状態を検知した炊飯動作回数を記憶する異常炊飯回数記憶手段とを備え、前記制御手段は、前記異常状態検知手段が異常状態を検知した場合に、炊飯動作終了後、前記表示手段に異常状態による炊飯動作である異常状態表示を行い、前記異常炊飯回数記憶手段に記憶された回数が所定回数を超えた場合には炊飯器異常である異常表示に表示を変更するよう構成したものであり、炊飯動作中に、正常な炊飯動作が行えなかった場合、その回数を記憶して、同じ異常状態が数回発生する場合は、製品に異常があると判断して製品異常表示に変更し、使用者に正確な異常状態の情報を提供することができる。
【００１１】
第２の発明は、上記第１の発明において、制御手段は、異常状態検知手段が異常状態を検知した場合に、炊飯動作終了後、表示手段に異常状態による炊飯動作である異常状態表示を行い、異常炊飯回数記憶手段に記憶された回数が所定回数を超えた場合には炊飯器異常である異常表示に表示を変更し、炊飯動作を停止するようにしたものであり、炊飯動作中に、正常な炊飯動作が行えなかった場合、その回数を記憶して、同じ異常状態が数回発生する場合は、製品に異常があると判断して製品異常表示に変更し、使用者に正確な異常状態の情報を提供することができるとともに、製品に異常がある場合には製品の異常が拡大しないようにできる。
【００１２】
第３の発明は、上記第１の発明または第２の発明において、炊飯動作中に前記異常状態検知手段が異常状態を検知しない炊飯回数を記憶する正常炊飯回数記憶手段を備え、制御手段は、前記正常炊飯回数記憶手段に記憶された回数が所定回数を超えた場合には、前記異常炊飯回数記憶手段に記憶された回数をリセットするようにしたものであり、炊飯動作
中に、使用上の問題により、正常な炊飯動作が行えなかった場合、異常状態の表示を確認して、その問題を解消できれば、次回の炊飯からは同じ異常状態は発生しなくなるので、正常炊飯が所定回数連続する場合は、使用上の問題が解消できたと判断して、異常状態が発生した回数をリセットし、製品に異常のない使用方法では使用可能にすることで、使い勝手のよい炊飯器を提供できる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における炊飯器の断面図を示し、図２は、同炊飯器の主要部システム構成図を示すものである。なお、図面を簡潔にするために、電気的接続のためのリード線等は省略している。
【００１５】
図１に示すように、炊飯器本体１０は、上面が開口する略円筒形に形成し、内部に鍋１１を着脱自在に収納するため有底筒状の鍋収納部１０ａを有している。鍋収納部１０ａの底部には、鍋１１を誘導加熱する加熱コイル（加熱手段）１２を設けている。底温度センサー１３は、鍋１１の温度を検知するもので、鍋温度検知手段を構成しており、鍋１１の底面と当接するよう付勢して装着し、炊飯および保温時の鍋１１の温度を検知している。
【００１６】
炊飯器本体１０の上面開口部１０ｂは、炊飯器本体１０にヒンジ軸１５により開閉自在に支持された蓋１４で覆われている。蓋１４に設けた蒸気口１６は、炊飯中の蒸気を排出するものである。蓋１４の下面には、鍋１１に面した内蓋を構成する放熱板１７を設け、この放熱板１７上に蓋加熱手段である蓋ヒータ１８を設け、放熱板１７を加熱するようにしている。また、蓋温度センサー１９は、放熱板１７の温度を検知して沸騰を検知するもので、沸騰検知手段を構成しており、放熱板１７に当接するように設けている。鍋パッキン２０は、蓋１４を閉じたときに、鍋１１の上辺に当接し鍋１１を密閉する。
【００１７】
制御基板２１は、図２に示すように、制御手段３０を有するマイクロコンピュータ３１を搭載し、制御手段３０は、加熱コイル１２および蓋ヒータ１８への電力供給を制御するとともに、底温度センサー１３、蓋温度センサー１９の信号を読み込む。入力手段である入力スイッチ２２は、使用者が操作時に用いるものである。制御基板２１上には、炊飯器の状態を表示する表示手段であるＬＣＤ２３や、操作時の入力受付報知や炊飯動作終了報知、再加熱動作終了報知のためのブザー（図示せず）を設けている。
【００１８】
加熱基板２４は、制御基板２１からの制御信号を入力して、加熱コイル１２に高周波電流を供給するインバータ回路３２（図示せず）と、インバータ回路を構成するスイッチング素子３３を冷却するためのヒートシンク２５、および蓋ヒータ１８への電力通電を制御する駆動手段（図示せず）を搭載している。また、ヒートシンク２５の下方には、このヒートシンク２５に冷却風を送るための冷却ファン２６を配置している。
【００１９】
また、このヒートシンク２５のスイッチング素子３３取り付け近傍には、スイッチング素子３３の温度を検知するスイッチング素子温度検知手段２７が搭載されている。
【００２０】
冷却ファン２６により炊飯器本体１０内に外気を吸気する吸気口２８は、冷却ファンの設置された下方の炊飯器本体１０の下面前方に配置している。また、炊飯器本体１０内の内気を炊飯器外部に排気する排気口２９は、炊飯器本体１０の下面後方に配置している。
【００２１】
図２は、本発明の第１の実施の形態における炊飯器の主要部システム構成図を示すものである。
【００２２】
図２に示すように、鍋１１は、加熱手段である加熱コイル１２と磁気結合している。
【００２３】
共振用コンデンサ３４は、加熱コイル１２に並列接続しており、加熱コイル１２と並列共振回路を構成している。
【００２４】
スイッチング素子３３は、ＭＯＳＦＥＴやＩＧＢＴなどの半導体素子と、この半導体素子に逆接続した逆接続ダイオードで構成されており、ヒートシンク２５（図示せず）に密着して設置している。本実施の形態において、加熱コイル１２に高周波電流を供給するインバータ回路３２は共振用コンデンサ３４、スイッチング素子３３で構成されている。このスイッチング素子３３の温度を検知するスイッチング素子温度検知手段２７は、ヒートシンク２５（図示せず）上のスイッチング素子３３近傍に設置されている。
【００２５】
また、このヒートシンク２５（図示せず）に冷却風を送るための冷却ファン２６（図示せず）を配置している。
【００２６】
整流手段３５は、整流素子であるダイオードブリッジ３６とチョークコイル３７と高周波平滑用コンデンサ３８で構成されており、商用電源３９を整流平滑し、略直流電圧をインバータ回路３２に供給する。
【００２７】
また、チョークコイル３７は、インバータ回路３２の高周波電流成分が商用電源３９側に高周波ノイズとして漏れることを防止している。
【００２８】
駆動回路４０は、ＮＰＮトランジスタとＰＮＰトランジスタからなるプッシュプル回路で構成されており、マイクロコンピュータ３１内の制御手段３０がハイパルスを出力している時にスイッチング素子３３を構成しているＩＧＢＴにハイ電圧を出力する。このハイ電圧がスイッチング素子３３に印加されている間スイッチング素子３３は導通状態となり、高周波平滑用コンデンサ３８に充電されたエネルギーを加熱コイル１２に高周波電流として供給する。
【００２９】
マイクロコンピュータ３１内の制御手段３０は、駆動回路４２にスイッチング素子３３の駆動信号を出力し、インバータ回路３２を介して加熱コイル１２への電力供給を制御し、蓋ヒータ１８（図示せず）への電力供給を制御し、冷却ファン２６を駆動すると共に、スイッチング素子温度検知手段２７、底温度センサー１３（図示せず）、蓋温度センサー１９（図示せず）の信号を読み込む。
【００３０】
また、マイクロコンピュータ３１は、複数の炊飯シーケンスを記憶するシーケンス記憶手段４３を有しており、選択手段を構成する入力スイッチ２２により、シーケンス記憶手段４３に記憶された複数の炊飯シーケンスから選択されたシーケンスに従って、制御手段３０が各種の負荷を駆動制御し炊飯動作をすると共に、表示手段であるＬＣＤ２３に炊飯器の状態を表示する信号を出力する。
【００３１】
異常状態検知手段４４は、炊飯動作中に発生する誤操作、誤動作などの異常状態を検知するものであり、異常炊飯回数記憶手段４５は、異常状態検知手段４４が異常状態を検知した炊飯動作回数を記憶するものである。
【００３２】
ここで、制御手段３０は、シーケンス記憶手段４３に記憶された炊飯シーケンスに合わせて加熱コイル１２を制御するとともに、異常状態検知手段４４が異常状態を検知した場合に、炊飯動作終了後、ＬＣＤ（表示手段）２３に異常状態による炊飯動作である異常状態表示を行い、異常炊飯回数記憶手段４５に記憶された回数が所定回数（例えば、３回）
を超えた場合には炊飯器異常である異常表示に表示を変更し、炊飯動作を停止するようにしている。
【００３３】
このとき、異常状態検知手段４４は、炊飯動作中に、スイッチング素子温度検知手段２７により検知したスイッチング素子３３の温度が所定の温度を超えた場合、スイッチング素子３３の冷却状態が正常でない異常状態と判断するようにしている。
【００３４】
上記構成において図３を参照しながら動作を説明する。図３は、本実施の形態における炊飯器の誤動作表示動作のフローチャートを示すものである。
【００３５】
図３のステップＳ１にて動作を開始すると、制御手段２はステップＳ２にて前炊き工程に入ると、ステップＳ３に進みスイッチング素子温度検知手段２７で検知したスイッチング素子３３の温度が所定の温度Ｔ１（例えば１００℃）を超えていないかを判定し、所定の温度Ｔ１に達していなければステップＳ４に進み、前炊き終了時間に到達したかを判定する。ステップＳ４にて前炊き終了時間に到達していなければステップＳ２に戻り、ステップＳ２からステップＳ４の動作を繰り返す。ステップＳ３にて温度Ｔ１に到達するまでに、ステップＳ４にて前炊き終了時間に到達するとステップＳ５に進む。
【００３６】
一方、ステップＳ４にて前炊き終了時間に到達する前に、ステップＳ３にてスイッチング素子３３の温度が所定の温度Ｔ１に到達すると、異常状態検知手段４４はスイッチング素子３３の冷却状態が正常でない異常状態と判断し、ステップＳ６に進み冷却異常炊飯工程に入る。
【００３７】
そして、ステップＳ７にて異常炊飯回数記憶手段４５に記憶されている記憶回数に１をプラスし、ステップＳ８にて異常炊飯回数記憶手段４５に記憶されている記憶回数が所定回数（３回）以上かどうかを判定する。
【００３８】
ステップＳ８にて、記憶回数が所定回数（３回）以上でなければステップＳ９に進み、ステップＳ９にてＬＣＤ（表示手段）２３にスイッチング素子３３の冷却状態が正常でない異常状態による炊飯動作である異常炊飯表示（Ｕ１２）を行い、その後、ステップＳ１０に進んで炊飯動作を停止して終了する。ステップＳ８にて異常炊飯回数記憶手段４５に記憶されている記憶回数が所定回数（３回）を超えた場合にはステップＳ１１に進み、ステップＳ１１にてＬＣＤ（表示手段）２３に炊飯器異常である異常表示（Ｈ１２）を行い、その後、ステップＳ１２に進んで炊飯動作を停止して終了する。
【００３９】
また、ステップＳ３にて温度Ｔ１に到達するまでに、ステップＳ４にて前炊き終了時間に到達するとステップＳ５に進み、炊き上げ工程に入る。
【００４０】
ステップＳ５にて炊き上げ工程に入ると、ステップＳ１３に進みスイッチング素子温度検知手段２７で検知したスイッチング素子３３の温度が所定の温度Ｔ１（例えば１００℃）を超えていないかを判定し、所定の温度Ｔ１に達していなければステップＳ１４に進み、炊き上げ終了温度に到達したかを判定する。ステップＳ１４にて炊き上げ終了温度に到達していなければステップＳ５に戻り、ステップＳ５からステップＳ１４の動作を繰り返す。ステップＳ１３にて温度Ｔ１に到達するまでに、ステップＳ１４にて炊き上げ終了温度に到達するとステップＳ１５に進み、むらし工程に入る。
【００４１】
一方、ステップＳ１３にて炊き上げ終了温度に到達する前に、ステップＳ１３にてスイッチング素子３３の温度が所定の温度Ｔ１に到達すると、異常状態検知手段４４はスイッチング素子３３の冷却状態が正常でない異常状態と判断し、ステップＳ６に進み冷却異常炊飯工程に入る。
【００４２】
ステップＳ１５にてむらし工程に入ると、ステップＳ１６に進みスイッチング素子温度検知手段２７で検知したスイッチング素子３３の温度が所定の温度Ｔ１（例えば１００℃）を超えていないかを判定し、所定の温度Ｔ１に達していなければステップＳ１７に進み、むらし終了時間に到達したかを判定する。
【００４３】
ステップＳ１７にてむらし終了時間に到達していなければステップＳ１５に戻り、ステップＳ１５からステップＳ１７の動作を繰り返す。ステップＳ１６にて温度Ｔ１に到達するまでに、ステップＳ１７にてむらし終了時間に到達するとステップＳ１８に進み、炊飯を終了する。
【００４４】
一方、ステップＳ１７にてむらし終了時間に到達する前に、ステップＳ１６にてスイッチング素子３３の温度が所定の温度Ｔ１に到達すると、異常状態検知手段４４はスイッチング素子３３の冷却状態が正常でない異常状態と判断し、ステップＳ６に進み冷却異常炊飯工程に入る。
【００４５】
以上のように、本実施の形態においては、制御手段３０は、異常状態検知手段４４がスイッチング素子３３の冷却状態が正常でない異常状態を検知した場合に、炊飯動作終了後、ＬＣＤ（表示手段）２３にスイッチング素子３３の冷却状態が正常でない異常状態による炊飯動作である異常炊飯表示（Ｕ１２）を行い、異常炊飯回数記憶手段４５に記憶された回数が所定回数（３回）を超えた場合には炊飯器異常である異常表示（Ｈ１２）に表示を変更するよう構成したので、炊飯動作中に、正常な炊飯動作が行えなかった場合、その回数を記憶して、同じ異常状態が数回発生する場合は、製品に異常があると判断して製品異常表示に変更し、使用者に正確な異常状態の情報を提供することができる。
【００４６】
また、制御手段３０は、異常状態検知手段４４がスイッチング素子３３の冷却状態が正常でない異常状態を検知した場合に、炊飯動作終了後、ＬＣＤ（表示手段）２３にスイッチング素子３３の冷却状態が正常でない異常状態による炊飯動作である異常炊飯表示（Ｕ１２）を行い、異常炊飯回数記憶手段４５に記憶された回数が所定回数（３回）を超えた場合には炊飯器異常である異常表示（Ｈ１２）に表示を変更し、炊飯動作を停止するようにしたので、炊飯動作中に、正常な炊飯動作が行えなかった場合、その回数を記憶して、同じ異常状態が数回発生する場合は、製品に異常があると判断して製品異常表示に変更し、使用者に正確な異常状態の情報を提供することができるとともに、製品に異常がある場合には製品の異常が拡大しないようにできる。
【００４７】
なお、本実施の形態では、スイッチング素子温度検知手段２７は、ヒートシンク２５のスイッチング素子３３取り付け近傍に配置しているが、加熱基板２４上に配置しても同様な効果を得られる。
【００４８】
（実施の形態２）
図４は、本発明の実施の形態３における炊飯器の炊飯器の主要部ブロック図を示すものである。
【００４９】
図４に示すように、正常炊飯回数記憶手段４６は、異常状態検知手段４４がスイッチング素子３３の冷却状態が正常でない異常状態を検知しなかった炊飯動作回数を記憶するものである。
【００５０】
ここで、制御手段３０は、シーケンス記憶手段４３に記憶された炊飯シーケンスに合わせて加熱コイル１２を制御するとともに、異常状態検知手段４４が異常状態を検知した場合に、炊飯動作終了後、ＬＣＤ（表示手段）２３にスイッチング素子３３の冷却状態が正
常でない異常状態による炊飯動作である異常状態表示（Ｕ１２）を行い、異常炊飯回数記憶手段４５に記憶された回数を１プラスする。一方、異常状態検知手段４４がスイッチング素子３３の冷却状態が正常でない異常状態を検知せずに炊飯動作終了した場合、ＬＣＤ（表示手段）２３には異常状態表示（Ｕ１２）は行わず、正常炊飯回数記憶手段４６に記憶された回数を１プラスする。そして、正常炊飯回数記憶手段４６に記憶された回数が所定の回数（例えば、２回）になった場合には、異常炊飯回数記憶手段４５に記憶された回数をリセットする。
【００５１】
この状態で、異常炊飯回数記憶手段４５に記憶された回数が所定回数（例えば、３回）を超えた場合には炊飯器異常である異常表示（Ｈ１２）に表示を変更し、炊飯動作を停止するようにしている。
【００５２】
このとき、異常状態検知手段４４は、炊飯動作中に、スイッチング素子温度検知手段２７により検知したスイッチング素子３３の温度が所定の温度を超えた場合、スイッチング素子３３の冷却状態が正常でない異常状態と判断するようにしている。
【００５３】
他の構成は上記実施の形態１と同じであり、同一符号を付して説明を省略する。
【００５４】
上記構成において図５を参照しながら動作を説明する。図５は、本実施の形態における炊飯器の誤動作表示動作のフローチャートを示すものである。なお、ステップＳ１からステップＳ１７の動作は、上記実施の形態１の動作と同じであるので説明を省略する。
【００５５】
図５のステップＳ１にて動作を開始すると、制御手段３０はステップＳ２にて前炊き工程に入り、ステップＳ４にて前炊き終了時間に到達すると、ステップＳ５に進み、炊き上げ工程に入る。その後、ステップＳ１４にて炊き上げ終了温度に到達すると、ステップＳ１５に進み、むらし工程に入る。
【００５６】
ステップＳ１５にてむらし工程に入ると、ステップＳ１６に進みスイッチング素子温度検知手段２７で検知したスイッチング素子３３の温度が所定の温度Ｔ１（例えば１００℃）を超えていないかを判定し、所定の温度Ｔ１に達していなければステップＳ１７に進み、むらし終了時間に到達したかを判定する。
【００５７】
ステップＳ１７にてむらし終了時間に到達していなければステップＳ１５に戻り、ステップＳ１５からステップＳ１７の動作を繰り返す。ステップＳ１６にて温度Ｔ１に到達するまでに、ステップＳ１７にてむらし終了時間に到達するとステップＳ１９に進む。
【００５８】
そして、ステップＳ１９にて正常炊飯回数記憶手段４６に記憶されている記憶回数に１をプラスし、ステップＳ２０にて正常炊飯回数記憶手段４６に記憶されている記憶回数が所定回数（２回）以上かどうかを判定する。
【００５９】
ステップＳ２０にて、記憶回数が所定回数（２回）以上でなければステップＳ２１に進み、炊飯を終了する。
【００６０】
一方、ステップＳ２０にて正常炊飯回数記憶手段４６に記憶されている記憶回数が所定回数（２回）を超えた場合にはステップＳ２２に進み、ステップＳ２２にて異常炊飯回数記憶手段４５に記憶されている記憶回数をリセット（０回）し、その後、ステップＳ２３に進んで炊飯を終了する。
【００６１】
以上のように、本実施の形態においては、制御手段３０は、異常状態検知手段４４がスイッチング素子３３の冷却状態が正常でない異常状態を検知した場合に、炊飯動作終了後
、ＬＣＤ（表示手段）２３にスイッチング素子３３の冷却状態が正常でない異常状態による炊飯動作である異常炊飯表示（Ｕ１２）を行い、異常炊飯回数記憶手段４５に記憶された回数を１プラスする。一方、異常状態検知手段４４がスイッチング素子３３の冷却状態が正常でない異常状態を検知せずに炊飯動作終了した場合、ＬＣＤ（表示手段）２３には異常状態表示は行わず、正常炊飯回数記憶手段４６に記憶された回数を１プラスする。そして、正常炊飯回数記憶手段４６に記憶された回数が所定の回数（２回）になった場合には、異常炊飯回数記憶手段４５に記憶された回数をリセットする。
【００６２】
すなわち、使用者が、異常炊飯表示（Ｕ１２）を確認して、例えば絨毯の上に炊飯器をおいて吸気口や排気口を塞いでしまっていることに気が付いた場合、置き場所を変更することで、正常な冷却状態になるため、次回の炊飯からは同じ異常状態は発生しなくなるので、正常炊飯が所定回数連続する場合は、使用上の問題が解消できたと判断して、異常状態が発生した回数をリセットし、製品に異常のない使用方法では使用可能にすることで、使い勝手のよい炊飯器を提供できる。
【産業上の利用可能性】
【００６３】
以上のように、本発明にかかる炊飯器は、炊飯動作中に正常な炊飯動作が行えなかった場合、その使用状態が異常状態なのか、製品に異常があるのかを判断して異常状態の表示を変更し、使用者に正確な異常状態の情報を提供することができるので、炊飯動作中に発生する異常状態を検知可能な炊飯器として有用である。
【図面の簡単な説明】
【００６４】
【図１】本発明の実施の形態１における炊飯器の断面図
【図２】同炊飯器の主要部ブロック図
【図３】同炊飯器の誤動作表示動作のフローチャート
【図４】本発明の実施の形態２における炊飯器の主要部ブロック図
【図５】同炊飯器の誤動作表示動作のフローチャート
【符号の説明】
【００６５】
１０  炊飯器本体
１１  鍋
１２  加熱コイル（加熱手段）
２２  入力スイッチ（選択手段）
２３  ＬＣＤ（表示手段）
２５  ヒートシンク
２６  冷却ファン
２７  スイッチング素子温度検知手段
２８  吸気口
２９  排気口
３０  制御手段
３３  スイッチング素子
４４  異常状態検知回路
４５  異常炊飯回数記憶手段
【図１】
2010088648.tif 000003
【図２】
2010088648.tif 000004
【図３】
2010088648.tif 000005
【図４】
2010088648.tif 000006
【図５】
2010088648.tif 000007